(57)【要約】【課題】  手の届かない箇所に設けた巻取器３のロック解除を、ストラップ２２を引くという操作のみで行える巻取器３を備えたハーネス型安全帯１を提供する。【解決手段】  定位置ロック手段Ｌと遠心ロック手段３５とを有する巻取器３を備えた巻取式ランヤード２を、肩掛けベルト１１１が交差重合する交差部１１ａに固定する。定位置ロック手段Ｌはラチェット爪３３とラチェット歯車３４との係合により成り、ラチェット歯車３４は解除エリアＲＡと係合エリアＥＡを有し、ラチェット爪３３が係合エリアＥＡに位置するときはストラップ２２が任意長さで保持され、解除エリアＲＡに位置するときはストラップ２２が巻き取られる。作業者はストラップ２２を引くことで、ラチェット爪３３を解除エリアＲＡに位置させ、ロック解除が行えるので、レバー操作等を行うことなく、ハーネス型安全帯１の背中位置にある巻取器３を操作できる。【選択図】  図１
2014061237.tif 000002
【特許請求の範囲】
【請求項１】
肩掛けベルト部と腿ベルト部とから成り、ストラップ巻取式のランヤードを備えたハーネス型安全帯であって、
前記ハーネス型安全帯の背中部分で肩掛けベルトが交差重合して、交差部が形成されており、
前記ランヤードが、フックと、先端に当該フックが連結されたストラップと、当該ストラップを巻き取る巻取器とを備え、
前記巻取器が、フレームと、前記ストラップを巻き取るボビンとを備え、当該ボビンが当該フレームに回動可能に軸止されており、更にうず巻バネを備え、当該うず巻バネが、前記ボビンが前記ストラップを巻き取る方向に回動するように付勢しており、
前記ボビンの軸と同軸に或いはボビンの側板に設けられて前記ボビンの軸と同軸上に配置され環状で成るロック爪受と、前記フレームに設けたロック爪との係合により成る定位置ロック手段が、前記ボビンの前記ストラップを巻き取る方向への回動を阻止し、
前記ロック爪受の一部を欠損し、前記ロック爪と当該ロック爪受の係合が解かれる解除エリアを設け、当該解除エリアをロック爪受の全周に対して所定比率で配置し、
更に、中立バネを備え、当該中立バネが、前記ロック爪の中立を維持するように付勢しており、
前記ロック爪が前記ロック爪受の解除エリアに位置して係合が解かれたとき、当該ロック爪が中立位置に復帰し、以後当該ロック爪受と摺接状態となり前記ボビンの回動を許容して、前記うず巻バネの付勢によって前記ストラップが当該ボビンに巻き取られるように構成し、
前記巻取器が、前記ボビンに回動可能に軸止された遠心爪と、前記フレームに設けられて当該遠心爪が係合する遠心爪受と、を更に備え、
前記ストラップの繰出しによる前記ボビンの回転が所定の加速度を超えたときに、当該遠心爪受に遠心爪が係合し、当該ボビンの回転を停止して当該ストラップの繰出しを阻止するよう構成し、
上記構成を有するランヤード端部の巻取器が、ハーネス型安全帯の背中部分に形成された前記交差部に固定されたことを特徴とするストラップ操作ロック解除型巻取器を備えたハーネス型安全帯。
【請求項２】
前記巻取器のロック爪受に、前記解除エリアと、前記ロック爪が前記ロック爪受に係合する係合エリアとが設けられており、
前記ストラップが繰り出す方向に引かれたとき、
前記ロック爪と前記ロック爪受との係合が解かれて、前記ストラップが繰出し可能とされており、
前記ストラップの繰り出す方向に引かれる力が解除されたときに、
前記ロック爪がロック爪受の係合エリアに位置して、当該ロック爪とロック爪受とが係合した際は、前記ストラップが任意長さの位置で保持されており、
前記ロック爪がロック爪受の解除エリアに位置して、当該ロック爪がロック爪受の欠損部に到達した際は、当該ロック爪が中立位置に復帰し、以後当該ロック爪受と摺接状態となり前記ボビンの回動を許容して、前記うず巻バネの付勢によって当該ストラップが当該ボビンに巻き取られるように構成されており、
上記構成を有するランヤード端部の巻取器が、ハーネス型安全帯の背中部分に形成された前記交差部に固定されたことを特徴とする請求項１に記載のストラップ操作ロック解除型巻取器を備えたハーネス型安全帯。
【請求項３】
前記巻取器の定位置ロック手段が、前記ボビンの側面に前記軸と同軸上に設けた環状で成るラチェット歯車と、前記フレームに回動可能に軸止したラチェット爪との係合により成り、更に中立バネを備え、当該中立バネが、当該ラチェット爪の中立を維持するように付勢しており、
前記ラチェット歯車の一部を欠損し、前記ラチェット爪と当該ラチェット歯車の係合が解かれる解除エリアを設け、当該解除エリアをラチェット歯車の全周に対して所定比率で配置して、
前記ストラップが繰り出す方向に引かれたとき、
前記ラチェット爪とラチェット歯車との係合が解かれて、前記ストラップが繰出し可能とされており、
前記ストラップの繰り出す方向に引かれる力が解除されたときに、
前記ラチェット爪が前記ラチェット歯車の係合エリアに位置して、当該ラチェット爪がラチェット歯車に係合した際は、前記ストラップが任意長さの位置で保持されており、
前記ラチェット爪が前記ラチェット歯車の解除エリアに位置して、当該ラチェット爪がラチェット歯車の欠損部に到達した際は、当該ラチェット爪が中立位置に復帰し、以後当該ラチェット歯車と摺接状態となり前記ボビンの回動を許容して、前記うず巻バネの付勢によって当該ストラップが当該ボビンに巻き取られるように構成されており、
上記構成を有するランヤード端部の巻取器が、ハーネス型安全帯の背中部分に形成された前記交差部に固定されたことを特徴とする請求項２に記載のストラップ操作ロック解除型巻取器を備えたハーネス型安全帯。
【請求項４】
前記巻取器のボビンの側板かつ前記軸を中心とした円周上に設けられたラチェット歯車が外歯であり、
外歯で形成した当該ラチェット歯車と当該軸との間に所定半径の遠心ロック手段収納部が形成されており、かつ前記フレームの当該ラチェット歯車の外歯と係合する位置にラチェット爪を備えており、
前記遠心ロック手段収納部に、前記ボビンに回動可能に軸止された遠心爪と、前記フレームに設けられて当該遠心爪が係合する遠心爪受と、を備えており、
前記ラチェット歯車とラチェット爪との係合により成る定位置ロック手段と、前記遠心爪と遠心爪受との係合により成る遠心ロック手段とが、前記ボビンの側面の同一面上に位置するように構成し、
上記構成を有するランヤード端部の巻取器が、ハーネス型安全帯の背中部分に形成された前記交差部に固定されたことを特徴とする請求項１乃至請求項３に記載のストラップ操作ロック解除型巻取器を備えたハーネス型安全帯。
【請求項５】
前記巻取器のフレームに前記ボビンの軸と同軸で設けられた遠心爪受が内歯であり、
前記遠心爪受と軸との間に所定半径の定位置ロック手段収納部が形成されており、かつ前記ボビンの当該遠心爪受の内歯と係合する位置に遠心爪を備えており、
前記定位置ロック手段収納部に、前記ボビンの側板に設けられたラチェット歯車と、前記フレームに設けられて当該ラチェット歯車と係合するラチェット爪と、を備えており、
前記ラチェット歯車とラチェット爪との係合により成る定位置ロック手段と、前記遠心爪と遠心爪受との係合により成る遠心ロック手段とが、前記ボビンの側面の同一面上に位置するように構成し、
上記構成を有するランヤード端部の巻取器が、ハーネス型安全帯の背中部分に形成された前記交差部に固定されたことを特徴とする請求項１乃至請求項３に記載のストラップ操作ロック解除型巻取器を備えたハーネス型安全帯。
【請求項６】
前記巻取器のラチェット歯車の周縁歯の一部を欠損した解除エリアが、当該ラチェット歯車の回動中心点に対して複数の相対する位置に設けられており、
上記構成を有するランヤード端部の巻取器が、ハーネス型安全帯の背中部分に形成された前記交差部に固定されたことを特徴とする請求項３に記載のストラップ操作ロック解除型巻取器を備えたハーネス型安全帯。
【請求項７】
前記巻取器のラチェット歯車の周縁歯の一部を欠損した解除エリアが、当該ラチェット歯車の回動中心点を基点として当該ラチェット歯車の円周を等分する複数の位置に設けられており、
上記構成を有するランヤード端部の巻取器が、ハーネス型安全帯の背中部分に形成された前記交差部に固定されたことを特徴とする請求項３に記載のストラップ操作ロック解除型巻取器を備えたハーネス型安全帯。
【発明の詳細な説明】
【技術分野】
【０００１】
本発明は、主として高所作業において使用するハーネス型安全帯に関するものであり、特にはストラップ操作ロック解除型巻取器（ストラップの操作によってロックを解除する巻取器）を有するランヤードを備えたハーネス型安全帯に関する。
【背景技術】
【０００２】
高所での作業現場において、作業者が落下事故を防止するために着用する安全帯には、胴ベルト型とハーネス型がある。ハーネス型安全帯は胴ベルト型安全帯に比べ、墜落阻止時における落下衝撃荷重が分散され、身体に与える損傷を低減させることができ、また、ハーネス型安全帯を装着した作業者は、落下阻止後に救助されるまでの間を、安定した姿勢で待つことができる。このような理由から、ハーネス型安全帯が多く使用されるようになっている。このハーネス型安全帯は、人体に装着するベルト（肩掛けベルトと腿ベルト）と、ロープ又はストラップの先端にフックを備えたランヤードとから構成される。作業者は、このフックを親綱や堅固な構造物等に掛止して自分の体と連結することにより、万一足を踏み外した場合等の墜落を防止している。
【０００３】
現在、このランヤードにはストラップ巻取式のタイプが多く使用されている。これは、従来のロープ式ランヤードでは、フックを構造物に掛けた際にロープがたるみ、作業員が移動する際に構造物に引っ掛かることがあり、特に、回転部がある作業場所では、その回転部に巻き込まれる恐れがあるためである。更にハーネス型安全帯の場合、ランヤードの取付点が背中のＤ環となるため、作業者の視界外となる部分が多く、装着時にＤ環の位置が腰部となる胴ベルト型安全帯に比べて、より危険性が増すこととなり、ストラップの巻取式ランヤードは、このような状態を回避するものである。
【０００４】
このストラップ巻取式の巻取器には、その使用方法により、ストラップを絶えず巻き取るようにして、構造物に掛止したフックと人体（巻取器）との間にストラップの弛みが生じないようにして使用する常時巻取型と、巻取器にロック機構を設けて、ストラップ長さを調節して使用する定位置ロック型、それらをレバー操作により切り替えて使用する切替型がある。
また、落下を阻止する構造として、遠心ロック手段（遠心爪と遠心爪受）を備えたタイプと備えないタイプがある。遠心ロック手段を備えたタイプでは、万一の落下時に、ストラップを巻き取ったボビンの回転がストラップの繰出しにより所定の加速度を超えたとき、遠心爪受に遠心爪が係合し、ボビンの回転を停止してストラップの繰出しを阻止する。遠心ロック手段を備えないタイプでは、万一の落下時に、巻き取られたストラップが全て繰り出され、ボビンの芯である軸部に荷重が加わって停止する。
【０００５】
ここで、常時巻取型は、常にストラップが引っ張られているので、作業性が悪いことがあるが、定位置ロック型はストラップが引っ張られないので作業性はよい。しかし、万一の落下時、定位置ロック型はストラップが弛んでいたとき、その弛み分の落下距離が大きくなり、落下衝撃荷重も大きくなってしまう。そこで、定位置ロック型の巻取器には、遠心ロック手段を設けて落下距離を抑制する手法が用いられている。また、常時巻取型であっても、遠心ロック手段を設けることにより、落下距離が抑制されて落下衝撃荷重を低減することができるので、安全上からは、遠心ロック手段を設けた常時巻取型が最も安全と言える。
【０００６】
この定位置ロック型では、ストラップを巻き取って収納するとき、ロックを解除する操作が必要である。胴ベルト型安全帯の場合、巻取器が腰部に位置するので、その操作が容易に行えるが、ハーネス型安全帯の場合、巻取器が背中や肩の位置となるので、操作がしづらい。そのため、ハーネス型安全帯には常時巻取型の巻取器が多く用いられていた。また、このような状態を打開するために、ランヤードを取り付ける背中のＤ環と定位置ロック型の巻取器の間に延長ベルトと呼ばれるものを介在させて接続し、巻取器を人体の肩の前側まで延長させる手法もある。しかしながら、肩前の胸位置に来る巻取器を固定しない場合は、ぶらぶらとして使いづらく、巻取器を固定した場合は、構造物に連結したランヤードが引かれたときに肩掛けベルトも引かれてしまい、作業性が悪くなってしまう。
【０００７】
このような巻取器を備えたハーネス型安全帯として、特許文献１に開示されている「２本の巻取り式ランヤードを備えたハーネス型安全帯」がある。この発明は、２本の巻取式ランヤードをその巻取器が肩部に位置するよう配置したものである。しかしながら、この従来品は常時巻取型の巻取器であり、ストラップ長さの調節ができない。また、巻取器の任意位置係合解除をレバーなしに行うものとして特許文献２に開示されている「墜落防止用ベルトの巻取器」がある。この発明は、巻取器に内蔵したラチェット歯車の一部を欠落して、ラチェット歯車と噛合するカムを方向反転させ、解除レバーの操作なしでストラップを収納するものである。しかしながら、この従来品は、巻き取られたストラップが全て繰り出されるタイプであるので、万一の落下時に、落下衝撃荷重が大きくなってしまう。また、胴ベルト型安全帯用であるので、ストラップの収納操作、つまりラチェット歯車の欠落位置にカムを合わせる操作を、目視等で確認しながら行うものであるので、ハーネス型安全帯の背中部分に取り付けたとき、その位置合わせ操作がスムーズに行えないことがある。
【先行技術文献】
【特許文献】
【０００８】
【特許文献１】特開２０１１−２２４２５７号公報
【特許文献２】実公平７−４５２３４号公報
【発明の概要】
【発明が解決しようとする課題】
【０００９】
本発明が解決しようとする主な問題点は、従来のストラップ巻取式のランヤードを備えたハーネス型安全帯は常時巻取型であり、ストラップ長さの調節ができず、常にストラップが引っ張られているので、作業性が悪い点である。また、胴ベルト型安全帯用のストラップの操作によってロックを解除する巻取器（以下、「ストラップ操作ロック解除型巻取器」という）では、巻き取られたストラップが全て繰り出されて、万一の落下時に落下衝撃荷重が大きくなってしまう点と、ストラップの収納するときに、その操作がスムーズに行えないことがある点である。
【００１０】
そこで本発明は、ストラップ長さの調節が可能な定位置ロック型の巻取器を、ハーネス型安全帯の背中部分の肩掛けベルトが交差重合する交差部に備え、かつ、そのロック解除操作を目視等で確認することなく、ストラップを引く操作のみで容易に行えるストラップ操作ロック解除型巻取器を備えたハーネス型安全帯の提供を目的としている。
【課題を解決するための手段】
【００１１】
上記目的を達成するため、本発明は、ハーネス型安全帯を、肩掛けベルト部と腿ベルト部とから成り、その背中部分で肩掛けベルトが交差重合して交差部が形成されたハーネス本体と、フックと、先端にフックが連結されたストラップと、そのストラップを引くことによりロックを解除してストラップを巻き取る巻取器を備えたストラップ巻取式のランヤードとで構成する。その巻取器は、ストラップを巻き取るボビンがフレームに回動可能に軸止されており、そのボビンがストラップを巻き取る方向に回動するように、うず巻バネが付勢している。そして、フレームに設けたロック爪と、ボビンの軸と同軸に或いはボビンの側板に設けられてボビンの軸と同軸上に配置されたロック爪受との係合により成る定位置ロック手段が、ボビンのストラップを巻き取る方向への回動を阻止し、更に、環状で成るロック爪受の一部を欠損し、ロック爪とロック爪受の係合が解かれる解除エリアを設け、その解除エリアをロック爪受の全周に対して所定比率で配置して、ロック爪がロック爪受の解除エリアに位置して係合が解かれたとき、そのロック爪が中立位置に復帰し、以後ロック爪受と摺接状態となり、ボビンの回動を許容して、うず巻バネの付勢によってストラップがボビンに巻き取られるように構成する。ランヤード端部の上記構成の巻取器を、ハーネス型安全帯の背中部分に形成された交差部に固定することにより、ロック解除操作を目視等で確認することなく、ストラップを引く操作のみで容易に行うことができる。
【００１２】
この巻取器のロック爪受には、上記の解除エリアと、ロック爪がロック爪受に係合する係合エリアとが設けられている。それにより、ストラップが繰出す方向に引かれたときは、ロック爪とロック爪受の係合が解かれて、ストラップが繰出し可能となり、ストラップの繰出す方向に引かれる力が解除され、ロック爪がロック爪受の係合エリアに位置し、ロック爪とロック爪受とが係合した際は、前記ストラップが任意長さの位置で保持され、ロック爪がロック爪受の解除エリアに位置して、ロック爪がロック爪受の欠損部に到達した際は、ロック爪が中立位置に復帰し、以後ロック爪受と摺接状態となり前記ボビンの回動を許容して、うず巻バネの付勢によってストラップがボビンに巻き取られるように構成し、この構成を有するランヤード端部の巻取器を、ハーネス型安全帯の背中部分に形成された交差部に固定する。
【００１３】
具体的には、巻取器の定位置ロック手段が、ボビンの側面に軸と同軸上に設けたラチェット歯車と、フレームに回動可能に軸止したラチェット爪との係合により成り、更に中立バネを備え、中立バネをラチェット爪の中立を維持するように付勢させ、環状で成るラチェット歯車の一部を欠損し、ラチェット爪とラチェット歯車の係合が解かれる解除エリアを設け、その解除エリアをラチェット歯車の全周に対して所定比率で配置する。それにより、ストラップが繰出す方向に引かれたとき、ラチェット爪とラチェット歯車の係合が解かれて、ストラップが繰出し可能となり、ストラップの繰出す方向に引かれる力が解除され、ラチェット爪がラチェット歯車の係合エリアに位置して、ラチェット爪がラチェット歯車に係合した際は、ストラップが任意長さの位置で保持され、また、ラチェット爪がラチェット歯車の解除エリアに位置して、ラチェット爪がラチェット歯車の欠損部に到達した際は、ラチェット爪が中立位置に復帰し、以後ラチェット歯車と摺接状態となりボビンの回動を許容して、うず巻バネの付勢によってストラップがボビンに巻き取られるように構成し、この構成を有するランヤード端部の巻取器を、ハーネス型安全帯の背中部分に形成された交差部に固定する。
【００１４】
ここで、巻取器のラチェット歯車の周縁歯の一部を欠損した解除エリアを配置する所定比率とは、ラチェット爪の大きさと配置位置によるが、ラチェット爪が回動して中立位置に復帰するスペースが確保できる分、ラチェット歯車の周縁歯を欠損させた部分の全周に対する長さの比率である。
更に、巻取器のラチェット歯車の周縁歯の一部を欠損した解除エリアを、ラチェット歯車の回動中心点に対して複数の相対する位置に設けることにより、また、巻取器のラチェット歯車の周縁歯の一部を欠損した解除エリアを、ラチェット歯車の回動中心点を基点としてラチェット歯車の円周を等分する複数の位置に設けることにより、解除エリアへの位置合わせが容易に行える。
【００１５】
好ましくは、巻取器が、ボビンに回動可能に軸止された遠心爪と、フレームに設けられて遠心爪が係合する遠心爪受とを備え、ストラップの繰出しによるボビンの回転が所定の加速度を超えたときに、遠心爪受に遠心爪が係合し、ボビンの回転を停止してストラップの繰出しを阻止するよう構成し、この構成を有するランヤード端部の巻取器を、ハーネス型安全帯の背中部分に形成された交差部に固定する。これにより、万一の落下時に、ストラップが全て繰り出されることなく落下阻止できる。
【００１６】
更に好ましくは、巻取器のボビンの側板に軸を中心とした円周上に設けたラチェット歯車を外歯とし、外歯で形成したラチェット歯車と軸との間に所定半径の遠心ロック手段収納部を形成して、ラチェット歯車の外歯と係合する位置のフレームにラチェット爪を備え、その遠心ロック手段収納部に、ボビンに回動可能に軸止した遠心爪と、フレームに設けた遠心爪が係合する遠心爪受とを備える。このように、ラチェット歯車とラチェット爪との係合により成る定位置ロック手段と、遠心爪と遠心爪受との係合により成る遠心ロック手段とが、ボビンの側面の同一面上に位置するように構成し、この構成を有するランヤード端部の巻取器を、ハーネス型安全帯の背中部分に形成された交差部に固定する。これにより、巻取器が軽量薄型となり、ハーネス型安全帯の装着時に作業者背部の障害物と接触したりする危険性が少なくなる。
【００１７】
また、巻取器のフレームにボビンの軸と同軸で設けた遠心爪受を内歯とし、遠心爪受と軸との間に所定半径の定位置ロック手段収納部を形成して、ボビンの遠心爪受の内歯と係合する位置に遠心爪を備え、その定位置ロック手段収納部に、ボビンの側板に設けたラチェット歯車と、そのラチェット歯車と係合する位置のフレームに設けたラチェット爪とを備える。このように、ラチェット歯車とラチェット爪との係合により成る定位置ロック手段と、遠心爪と遠心爪受との係合により成る遠心ロック手段とが、ボビンの側面の同一面上に位置するように構成し、この構成を有するランヤード端部の巻取器を、ハーネス型安全帯の背中部分に形成された交差部に固定する。これにより、巻取器が軽量薄型となり、ハーネス型安全帯の装着時に作業者背部の障害物と接触したりする危険性が少なくなる。
【発明の効果】
【００１８】
本発明のストラップ操作ロック解除型巻取器（ストラップの操作によってロックを解除する巻取器）を備えたハーネス型安全帯を用いることにより、ストラップが任意長さ位置で停止するので、常にストラップが引っ張られることがなくなり、作業性が向上する。また、背中部分に備えた巻取器のストラップを手で引くことにより、ロックが解除できるので、ロック解除操作を目視等で確認することなく、ストラップを引く操作のみで容易に行える。
【００１９】
更に、解除エリアを複数個設けることにより、解除エリアへの位置合わせが容易に行え、ストラップの収納操作がスムーズに行える。好ましくは、遠心爪と遠心爪受とを備えることにより、万一の落下時に、ストラップが全て繰り出されることなく落下阻止し、落下距離が抑制されて落下衝撃荷重を低減することができ、安全性が向上する。
【００２０】
また、ラチェット歯車とラチェット爪との係合により成る定位置ロック手段と、遠心爪と遠心爪受との係合により成る遠心ロック手段とが、ボビンの側面の同一面上に位置するように構成することにより、巻取器が軽量薄型となり、ハーネス型安全帯の装着時に作業者背部の障害物と接触したりする危険性が少なくなり、装着性が向上する。
【図面の簡単な説明】
【００２１】
【図１】本発明の実施例１に係るストラップ操作ロック解除型巻取器を備えたハーネス型安全帯１を示した正面図及び部分側面図である。
【図２】作業者が本発明の実施例１に係る巻取式ランヤード２を備えたハーネス型安全帯１を装着した状態を示す説明図である。
【図３】本発明の実施例１に係る巻取器３の内部構造を示した正面図である。
【図４】本発明の実施例１に係る巻取器３の側面断面図である。
【図５】本発明の実施例１に係る巻取器３の定位置ロック手段Ｌを示した説明図である。
【図６】本発明の実施例１に係る巻取器３の遠心ロック手段３５を示した説明図である。
【図７】本発明の実施例２−１に係る巻取器４の内部構造を示した正面図及び側面断面図である。
【図８】本発明の実施例２−１に係る巻取器４の定位置ロック手段ＬＢの説明図である。
【図９】本発明の実施例２−１に係る巻取器４の遠心ロック手段４５の説明図である。
【図１０】本発明の実施例２−２に係る巻取器５の内部構造を示した正面図である。
【図１１】本発明の実施例３−１に係る巻取器６の定位置ロック手段ＬＤを示した説明図である。
【図１２】本発明の実施例３−２に係る巻取器７の定位置ロック手段ＬＥを示した説明図である。
【発明を実施するための形態】
【実施例１】
【００２２】
以下、図面を参照しつつ本発明に係る実施の形態について説明する。図１(ａ)及び (ｂ)は、本発明の実施例１に係るストラップ操作ロック解除型巻取器を備えたハーネス型安全帯１を示した正面図及び部分側面図である。これらの図に示すように、ハーネス型安全帯１は、肩掛けベルト部１１と一対の腿ベルト部１２，１２とから成り、巻取式ランヤード２を備えている。
【００２３】
このハーネス型安全帯１は、装着状態の背部において肩掛けベルト１１１，１１１が、連結環１１２の長穴に挿入されて交差重合して交差部１１ａを形成し、作業者の両肩に掛かる大きさの環状に縫製されている。そして、その交差部１１ａにＤ環１１３が設けられており、装着状態の人体胸部となる位置に胸ベルト部１１４が設けられている。また、一対の腿ベルト１２１，１２１が、バックル１２２，１２２により連結することで作業者の腿部を巻ける大きさの環状となるよう、肩掛けベルト１１１，１１１の所定の位置に縫合されている。また、巻取式ランヤード２は、構造物等に掛止するフック２１と、そのフック２１を先端に連結したストラップ２２と、そのストラップ２１を巻き取る巻取器３とから成り、前記交差部１１ａに設けたＤ環１１３に、巻取器３が接続されている。
【００２４】
図２は、作業者が本発明の実施例１に係る巻取式ランヤード２を備えたハーネス型安全帯１を装着した状態を示す説明図であり、ハーネス型安全帯１を装着した作業者を後方より見たものである。このように、巻取式ランヤード２の取付点は人体の背中部分であり、万が一落下した後の姿勢は、立ったような姿勢であり（胴ベルト型安全帯の場合は「く」の字になる）、救助されるまでの間を安定した姿勢で待つことができる。しかしながら、通常の使用時において、作業者は巻取器３に手が届き難く、その巻取り状況等の目視確認もしづらいものであった。
【００２５】
ここで、ハーネス型安全帯１を構成する各部品は、「安全帯の規格」及び「安全帯構造指針」に定められた強度を有するものである。具体的には、肩掛けベルト１１１及び腿ベルト１２１の材質は、ナイロン等の合成繊維であり、その幅と厚さは、摩耗や紫外線等による劣化を考慮した上で、落下衝撃時に加わる荷重に耐えうるものであり、「安全帯構造指針」では、幅４０ｍｍ以上で１５．０ｋＮ以上の引張強度を有するものと定められている。Ｄ環１１３は鉄製で、必要な強度と適度な伸びを有するものであり、「安全帯構造指針」では、１１．５ｋＮ以上の引張強度を有するものと定められている。
【００２６】
また、「安全帯の規格」では「墜落を防止するときに着用者の身体を支持する箇所に肩及び腿を含むものにあっては、ランヤードを接続する環の位置は、着用者がつり下がったときに着用者の頭頂部と臀部とを結ぶ線とランヤードとのなす角度が頭頂部を上方として三〇度を超えない位置であること。」とされており、そのために、「安全帯構造指針」において、「フルハーネスは腿ベルトと肩かけベルトを有し、ランヤードとの接続は、背中又は胸で行うこと。」と規定されている。ここで、構造物に設置された垂直レールやロープを昇降する場合は、昇降用の安全器に備えられたランヤードと接続するため、胸にＤ環を備える必要があるが、一般高所作業の場合は、胸Ｄ環では作業の支障となるので、背中にＤ環を設けてランヤードと接続している。
【００２７】
図１から図２に示すハーネス型安全帯１のタイプは、各種ある巻取式ランヤードを備えたハーネス型安全帯の一例であり、落下衝撃荷重を低減するために、ハーネス本体（肩掛けベルト部１１）又は巻取器３にショックアブソーバを設けたもの、無胴綱状態（フックが掛止されず、人体と被掛止物が連結されていない状態）を回避するために、巻取式ランヤード２を２本備えたもの等があるが、何れのタイプも背中部分で巻取式ランヤード２が接続されており、通常の使用時において、作業者は巻取器３に手が届かず、その巻取り状況等の目視確認もできないものである。
【００２８】
図３は、本発明の実施例１に係る巻取器３の内部構造を示した正面図であり、図４は、本発明の実施例１に係る巻取器３の側面断面図である。これらの図に示すように、巻取器３は、Ｄ環１１３とストラップ２２間に荷重が加わったとき、その荷重に耐えうる強度を有するフレーム３１と、ストラップ２２を巻き取るボビン３２とを備えている。このボビン３２は側板３２１，３２１と胴３２２（図示しない）より成り、軸３１１でフレーム３１に回動可能に軸止されている。更にうず巻バネ３１２が、ボビン３２がストラップ２２を巻き取る方向に回動するよう付勢して、ボビン３２の側面位置（片方の側板３２１の側面）に取り付けられている。
【００２９】
そして、ラチェット歯車（ロック爪受）３４が、軸３１１と同軸でボビン３２と共に回動するように取り付けられている。つまり、ラチェット歯車３４とボビン３２は軸３１１に固定されて、それら全てが一緒に回動する。また、ラチェット爪（ロック爪）３３が、軸３３１でフレーム３１に回動可能に軸止され、中立バネ３３２でラチェット爪３３が中立を維持するように付勢させている。このラチェット爪３３とラチェット歯車３４との係合により成る定位置ロック手段Ｌが、ボビン３２のストラップ２２を巻き取る方向への回動を阻止する。
尚、巻取器３は樹脂製等のケース３１３に収容されているが、以後の説明図においては省略する。
【００３０】
図５（ａ）から（ｃ）は、本発明の実施例１に係る巻取器３の定位置ロック手段Ｌを示した説明図である。これらの図に示すように、環状で成るラチェット歯車３４の周縁歯の一部を欠損し、ラチェット爪３３とラチェット歯車３４との係合が解かれる解除エリアＲＡを設け、その解除エリアＲＡをラチェット歯車３４の全周に対して所定比率で配置している。この所定比率とは、ラチェット爪３３の大きさと配置位置により変動するが、ラチェット爪３３が回動して中立位置に復帰するスペースが確保できるように、ラチェット歯車３４の周縁歯を欠損させた部分の全周に対する長さの比率である。そして、環状で成るラチェット歯車３４の周縁歯が欠損していない部分は、ラチェット爪３３とラチェット歯車３４が係合する係合エリアＥＡとなる。
【００３１】
図５（ａ）は、ラチェット爪３３とラチェット歯車３４とが係合した状態、つまりストラップ２２の巻取り・繰出しが停止した状態である。この状態からストラップ２２が繰出す方向に引かれたとき、ラチェット爪３３とラチェット歯車３４とは係合することなく、ストラップ２２は繰出し可能である。そして、ストラップ２２の繰出す方向に引かれる力が解除されたときに図５（ａ）の状態、つまりラチェット爪３３がラチェット歯車３４の係合エリアＥＡに位置していれば、ラチェット爪３３がラチェット歯車３４に係合し、ストラップ２２が任意長さの位置で保持される。
【００３２】
図５（ｂ）は、ラチェット爪３３がラチェット歯車３４の解除エリアＲＡに位置した状態であり、図５（ｃ）は、ラチェット爪３３が中立位置に復帰した状態である。ストラップ２２を繰出し、その繰出す方向に引かれる力が解除されたときに図５（ａ）の状態であれば、ストラップ２２は任意長さの位置で保持されるが、図５（ｂ）の状態、つまりラチェット爪３３がラチェット歯車３４の解除エリアＲＡに位置して、ラチェット爪３３がラチェット歯車３４の欠損部３４１に到達した際は、ラチェット爪３３が中立位置に復帰する。以後は図５（ｃ）の状態、つまりラチェット爪３３がラチェット歯車３４と摺接状態となりボビン３２の回動を許容して、うず巻バネ３１２の付勢のよってストラップ２２がボビン３２に巻き取られる。このように中立位置とは、ラチェット爪３３が解除エリアＲＡに位置した状態で、ラチェット歯車３４の回動する方向により、その爪先がどちらの方向にも向いて摺接状態となる自由位置である。ストラップ２２の巻取り・繰出し時、つまりラチェット歯車３４が何れかの方向へ回動するとき、ラチェット爪３３はラチェット歯車３４と絶えず摺接している。
【００３３】
この構成を有する巻取式ランヤード２の端部の巻取器３を、ハーネス型安全帯１の背中部分に形成された交差部１１ａに固定する。これにより、ストラップ２２が任意長さ位置で停止するので、巻取式ランヤード２のフック２１を構造物等に掛止したとき、常にストラップ２２が引っ張られることがなくなり、作業性が向上する。また、交差部１１ａに固定した巻取器３のストラップ２２を軽く手で引く（具体的には２〜１４ｃｍ）ことにより、ボビン３２が回動してラチェット爪３３が係合エリアＥＡから解除エリアＲＡに至り、そのロックを解除してうず巻バネ３１２の付勢によりストラップ２２を巻き取ることができる。これにより、ロック解除操作を目視等で確認することなく、ストラップ２２を引く操作のみで容易に行える。
【００３４】
詳しくは、一般的なハーネス型の安全帯を装着した作業者は、背中のＤ環１１３に接続された巻取器に手が届き難く、その巻取り状況等の目視確認もしづらいものであるが、本実施例のハーネス型安全帯１は、ストラップ２２を引くことで、巻取器３に内蔵したラチェット爪３３を解除エリアＲＡに位置させ、ロック解除が行えるので、レバー操作等を行うことなく、ハーネス型安全帯１の背中位置にある巻取器３を操作できる。これにより、フック２１を構造物に掛けた際にストラップ２２がたるみ、作業員が移動する際に構造物に引っ掛かる危険性が激減する。特に、回転部がある作業場所で、その回転部に巻き込まれる危険性が激減する。
【００３５】
尚、ラチェット爪３３とラチェット歯車３４との係合によるロックは、ストラップ２２を任意長さ位置で停止させるもので、強度は要求されないが、繰り返し使用による耐久性が要求される。それと巻取り・繰出し時の操作性を考慮して、ラチェット爪３３の爪部の大きさと角度、ラチェット歯車３４の歯数、歯部の大きさと角度及び係合部の刻設（切り込み）深さ、ラチェット爪３３の配置（歯部との距離）等が決定される。本実施例では、ラチェット歯車３４の円周の大きさを決定した後、ストラップ２２の巻取り・繰出しとロック解除操作がスムーズにできる構成を実験的に求めた結果、一歯の角度を３０°とし、その１／４を欠損しており、これが前述した解除エリアＲＡをラチェット歯車３４の全周に対して配置する所定比率である。しかしながら、この構成と比率は特に特定されるものではなく、１／２から１／６程度の欠損、つまり最大でストラップ２２を８〜１４ｃｍ程度引き出すことでロック解除するような構成とすることが適切であると考えられる。
【００３６】
また、図３及び図４に示すように、巻取器３は、遠心爪３５１と遠心爪受３５２から成る遠心ロック手段３５を更に備えている。図６（ａ）及び（ｂ）は、本発明の実施例１に係る巻取器３の遠心ロック手段３５を示した説明図であり、図６（ａ）は遠心爪３５１と遠心爪受３５２とが係合していない状態、図６（ｂ）は遠心爪３５１と遠心爪受３５２とが係合した状態である。これらの図に示すように、内側に係合部（刻設部）を所定数設けた遠心爪受３５２が、巻取器３のフレーム３１に固定されている。また、その係合部に係合する遠心爪３５１が、ボビン３２の側面所定位置に回動可能に軸止され、引きバネ３５３で係合解除する方向に付勢している。この遠心爪３５１を取り付ける方向は、ストラップ２２が繰出されるときに遠心爪３５１と遠心爪受３５２とが係合する方向である。
【００３７】
この遠心爪３５１は、ボビン３２と共に回動し、ストラップ２２の繰出しによるボビン３２の回転が所定の加速度を超えたとき、引きバネ３５３の付勢に抗して回動し、遠心爪受３５２に係合して、ボビン３２の回転を停止してストラップ２２の繰出しを阻止する。  この構成を有する巻取式ランヤード２の端部の巻取器３を、ハーネス型安全帯１の背中部分に形成された交差部１１ａに固定する。これにより、万一の落下時に、ストラップ２２が全て繰り出されることなく落下阻止し、落下距離が抑制されて落下衝撃荷重を低減することができ、安全性が向上する。
【００３８】
尚、ラチェット爪３３とラチェット歯車３４とが係合によるロックは、ストラップ２２を任意長さ位置で停止させるもので、強度は要求されなかったが、この遠心ロック手段３５には落下衝撃荷重が加わるので、その荷重に耐えうる必要があり、「安全帯構造指針」に定められた１１．５ｋＮ以上の引張強度を有するものである。
【実施例２】
【００３９】
以下、本発明の実施例２について説明する。上記実施例１と説明の重複する部分については同一の符号を付して説明を省略し、実施例１に対し、実施例２のうち差異を有する構造のみについて説明する。
【００４０】
＜実施例２−１＞
本発明の実施例２−１に係るハーネス型安全帯１Ｂ（図示しない）は、肩掛けベルト部１１と一対の腿ベルト部１２，１２とから成り、巻取式ランヤード２Ｂ（図示しない）を備えている。また、巻取式ランヤード２Ｂは、構造物等に掛止するフック２１と、そのフック２１を先端に連結したストラップ２２と、そのストラップ２１を巻き取る巻取器４とから成り、交差部１１ａに設けたＤ環１１３に、巻取器４が接続されている。ここで、巻取器４以外の構成品は実施例１と共通である。
【００４１】
図７(ａ)及び (ｂ)は、本発明の実施例２−１に係る巻取器４の内部構造を示した正面図及び側面断面図である。これらの図に示すように、巻取器４は、Ｄ環１１３とストラップ２２間に荷重が加わったとき、その荷重に耐えうる強度を有するフレーム４１と、ストラップ２２を巻き取るボビン４２とを備えている。このボビン４２は側板４２１，４２１と胴４２２より成り、軸４１１でフレーム４１に回動可能に軸止されている。更にうず巻バネ４１２が、ボビン４２がストラップ２２を巻き取る方向に回動するよう付勢して、ボビン４２の側面位置（片方の側板４２１の側面）に取り付けられている。
【００４２】
そして、ラチェット歯車４４が、ボビン４２上に軸４１１と同軸でボビン４２と共に回動するように取り付けられている。つまり、ラチェット歯車４４とボビン４２は一体で形成されており、一緒に回動する。また、ラチェット爪４３が、軸４３１でフレーム４１に回動可能に軸止され、中立バネ４３２でラチェット爪４３が中立を維持するように付勢させている。このラチェット爪４３とラチェット歯車４４との係合により成る定位置ロック手段ＬＢが、ボビン４２のストラップ２２を巻き取る方向への回動を阻止する。
【００４３】
図８（ａ）から（ｃ）は、本発明の実施例２−１に係る巻取器４の定位置ロック手段ＬＢの説明図である。これらの図に示すように、環状で成るラチェット歯車４４の周縁歯の一部を欠損し、ラチェット爪４３とラチェット歯車４４との係合が解かれる解除エリアＲＢを設け、その解除エリアＲＢをラチェット歯車４４の全周に対して所定比率で配置している。この所定比率とは、ラチェット爪４３の大きさと配置位置により変動するが、ラチェット爪４３が回動して中立位置に復帰するスペースが確保できるように、ラチェット歯車４４の周縁歯を欠損させた部分の全周に対する長さの比率である。具体的には、ラチェット歯車４４の円周の大きさを決定した後、ストラップ２２の巻取り・繰出しとロック解除操作がスムーズにできる構成を実験的に求めた結果、一歯の角度を２４°、歯数を１５歯とし、その内の７歯を欠損している。そして、環状で成るラチェット歯車４４の周縁歯が欠損していない部分は、ラチェット爪４３とラチェット歯車４４が係合する係合エリアＥＢとなる。
【００４４】
図８（ａ）は、ラチェット爪４３とラチェット歯車４４とが係合した状態、つまりストラップ２２の巻取り・繰出しが停止した状態である。この状態からストラップ２２が繰出す方向に引かれたとき、ラチェット爪４３とラチェット歯車４４とは係合することなく、ストラップ２２は繰出し可能である。そして、ストラップ２２の繰出す方向に引かれる力が解除されたときに図８（ａ）の状態、つまりラチェット爪４３がラチェット歯車４４の係合エリアＥＢに位置していれば、ラチェット爪４３がラチェット歯車４４に係合し、ストラップ２２が任意長さの位置で保持される。
【００４５】
図８（ｂ）は、ラチェット爪４３がラチェット歯車４４の解除エリアＲＢに位置した状態であり、図８（ｃ）は、ラチェット爪４３が中立位置に復帰した状態である。ストラップ２２を繰出し、その繰出す方向に引かれる力が解除されたときに図８（ａ）の状態であれば、ストラップ２２は任意長さの位置で保持されるが、図８（ｂ）の状態、つまりラチェット爪４３がラチェット歯車４４の解除エリアＲＢに位置して、ラチェット爪４３がラチェット歯車４４の欠損部４４１に到達した際は、ラチェット爪４３が中立位置に復帰する。以後は図８（ｃ）の状態、つまりラチェット爪４３がラチェット歯車４４と摺接状態となりボビン３２の回動を許容して、うず巻バネ３１２の付勢のよってストラップ２２がボビン３２に巻き取られる。
【００４６】
また、図７（ａ）及び（ｂ）に示すように、巻取器４は、遠心爪４５１と遠心爪受４５２から成る遠心ロック手段４５を、更に備えている。図９（ａ）及び（ｂ）は、本発明の実施例１に係る巻取器４の遠心ロック手段４５を示した説明図であり、図９（ａ）は遠心爪４５１と遠心爪受４５２とが係合した状態、図９（ｂ）は遠心爪４５１と遠心爪受４５２とが係合していない状態である。これらの図に示すように、内側に係合部（刻設部）を所定数設けた遠心爪受４５２が、巻取器４のフレーム４１に固定されている。また、その係合部に係合する遠心爪４５１が、ボビン４２の側面所定位置に回動可能に軸止され、引きバネ４５３で係合解除する方向に付勢している。この遠心爪４５１を取り付ける方向は、ストラップ２２が繰出されるときに遠心爪４５１と遠心爪受４５２とが係合する方向である。
【００４７】
この遠心爪４５１は、ボビン４２と共に回動し、ストラップ２２の繰出しによるボビン４２の回転が所定の加速度を超えたとき、引きバネ４５３の付勢に抗して回動し、遠心爪受４５２に係合して、ボビン４２の回転を停止してストラップ２２の繰出しを阻止する。  この構成を有する巻取式ランヤード２Ｂの端部の巻取器４を、ハーネス型安全帯１Ｂの背中部分に形成された交差部１１ａに固定する。これにより、万一の落下時に、ストラップ２２が全て繰り出されることなく落下阻止し、落下距離が抑制されて落下衝撃荷重を低減することができ、安全性が向上する。
【００４８】
図７（ａ）に示すように、ラチェット歯車４４は、巻取器４のボビン４２と一体で形成されており、軸４１１を中心とした円周上に設けられており、その外側に刻設した外歯である。また、フレーム４１のラチェット歯車４４と係合する位置にラチェット爪４３を備えている。そして、外歯で形成したラチェット歯車４４と軸４１１との間に所定半径の遠心ロック手段収納部４６を設け、その遠心ロック手段収納部４６に、ボビン４２に回動可能に軸止した遠心爪４５１と、フレーム４１に設けた遠心爪４５１が係合する遠心爪受４５２とを備えている。つまり、図７（ｂ）に示すように、ラチェット歯車４４とラチェット爪４３との係合により成る定位置ロック手段ＬＢと、遠心爪４５１と遠心爪受４５２とから成る遠心ロック手段４５とが、ボビン４２の側面で同一面上に位置するように構成されている。これにより、巻取器４は、実施例１の巻取器３に比して軽量薄型となる。尚、遠心ロック手段収納部４６の所定半径とは、遠心ロック手段４５が収納でき、かつその作動に支障のない大きさである。
【００４９】
この構成を有する巻取式ランヤード２Ｂ端部の巻取器４を、ハーネス型安全帯１Ｂの背中部分に形成された交差部１１ａに固定する。これにより、ハーネス型安全帯１Ｂの装着時に作業者背部の障害物と接触したりする危険性が少なくなり、装着性が向上する。
また、本実施例のハーネス型安全帯１Ｂは、定位置ロック手段ＬＢと遠心ロック手段４５とを備えており、実施例１と同様の作用・効果を有している。
【００５０】
＜実施例２−２＞
以下、実施例２−１の変形例である実施例２−２について説明する。本発明の実施例２−２に係るハーネス型安全帯１Ｃ（図示しない）は、肩掛けベルト部１１と一対の腿ベルト部１２，１２とから成り、巻取式ランヤード２Ｃ（図示しない）を備えている。また、巻取式ランヤード２Ｃは、構造物等に掛止するフック２１と、そのフック２１を先端に連結したストラップ２２と、そのストラップ２１を巻き取る巻取器５とから成り、交差部１１ａに設けたＤ環１１３に、巻取器５が接続されている。ここで、巻取器５以外の構成品は実施例２−１と共通である。
【００５１】
実施例２−１の巻取器４は、ボビン４２の円周側に位置するラチェット歯車４４を外歯とし、中心側に所定半径の遠心ロック手段収納部４６を形成して、その遠心ロック手段収納部４６に遠心ロック手段４５を設けたが、実施例２−２の巻取器５は、ボビン５２の円周側に定位置ロック手段収納部５６を有する遠心ロック手段５５を設け、その定位置ロック手段収納部５６にラチェット歯車５４とラチェット爪５３との係合により成る定位置ロック手段ＬＣを設けるものである。
【００５２】
具体的には、巻取器５のフレーム５１にボビン５２の軸５１１と同軸で設けた遠心爪受５５２を、その中心より中心方向に刻設した内歯とし、ボビン５２の遠心爪受５５２の内歯と係合する位置に遠心爪５５１を備え、遠心爪受５５２と軸５１１との間に所定半径の定位置ロック手段収納部５６を形成して、その定位置ロック手段収納部５６にボビン５２上に軸５１１と同軸に設けたラチェット歯車５４と、そのラチェット歯車５４と係合する位置のフレーム５１に設けたラチェット爪５３とを備える。つまり、ラチェット歯車５４とラチェット爪５３との係合により成る定位置ロック手段ＬＣと、遠心爪５５１と遠心爪受５５２とから成る遠心ロック手段５５とが、ボビン５２の側面の同一面上に位置するように構成されている。これにより、巻取器５は、実施例１の巻取器３に比して軽量薄型となる。尚、定位置ロック手段収納部５６の所定半径とは、定位置ロック手段ＬＣが収納でき、かつその作動に支障のない大きさである。
【００５３】
この構成を有する巻取式ランヤード２Ｃ端部の巻取器５を、ハーネス型安全帯１Ｃの背中部分に形成された交差部１１ａに固定する。これにより、ハーネス型安全帯１Ｃの装着時に作業者背部の障害物と接触したりする危険性が少なくなり、装着性が向上する。
また、本実施例のハーネス型安全帯１Ｃは、定位置ロック手段ＬＣと遠心ロック手段５５とを備えており、実施例１と同様の作用・効果を有している。
【実施例３】
【００５４】
以下、本発明の実施例３について説明する。上記実施例１と説明の重複する部分については同一の符号を付して説明を省略し、実施例１に対し、実施例３のうち差異を有する構造のみについて説明する。
【００５５】
＜実施例３−１＞
本発明の実施例３−１に係るハーネス型安全帯１Ｄ（図示しない）は、肩掛けベルト部１１と一対の腿ベルト部１２，１２とから成り、巻取式ランヤード２Ｄ（図示しない）を備えている。また、巻取式ランヤード２Ｄは、構造物等に掛止するフック２１と、そのフック２１を先端に連結したストラップ２２と、そのストラップ２１を巻き取る巻取器６とから成り、交差部１１ａに設けたＤ環１１３に、巻取器６が接続されている。ここで、巻取器６以外の構成品は実施例１と共通である。
【００５６】
図１１は、本発明の実施例３−１に係る巻取器６の定位置ロック手段ＬＤを示した説明図である。この定位置ロック手段ＬＤは、ラチェット歯車６４とラチェット爪３３から成り、ラチェット歯車６４は、その回動中心点である軸３１１の中心に対して相対する２箇所を欠損し、解除エリアＲＤを２箇所設け、その解除エリアＲＤをラチェット歯車６４の全周に対して所定比率で配置している。ここで、ラチェット爪３３の構成は実施例１と同じであり、また、解除エリアＲＤの１箇所あたりの比率も実施例１と同じである。
【００５７】
この構成を有する巻取式ランヤード２Ｄの端部の巻取器６を、ハーネス型安全帯１Ｄの背中部分に形成された交差部１１ａに固定する。これにより、ストラップ２２が任意長さ位置で停止するので、巻取式ランヤード２Ｄのフック２１を構造物等に掛止したとき、常にストラップ２２が引っ張られることがなくなり、作業性が向上する。また、交差部１１ａに固定した巻取器６のストラップ２２を軽く手で引く（具体的には１〜７ｃｍ）ことにより、ボビン６２が回動してラチェット爪３３が係合エリアＥＤから解除エリアＲＤに至り、そのロックを解除してうず巻バネ３１２の付勢によりストラップ２２を巻き取ることができる。これにより、ロック解除操作を目視等で確認することなく、ストラップ２２を引く操作のみで、より容易に行える。このように、実施例１と比し、解除エリアＲＤへの位置合わせが容易に行えるが、ストラップ２２を任意長さ位置で停止させる動作は、ラチェット歯車６４の歯を欠損した分、しづらくなってしまう。
【００５８】
＜実施例３−２＞
図１２は、本発明の実施例３−２に係る巻取器７の定位置ロック手段ＬＥを示した説明図である。この定位置ロック手段ＬＥは、ラチェット歯車７４とラチェット爪３３から成り、ラチェット歯車７４は、その回動中心点である軸３１１の中心を基点としてラチェット歯車の円周を等分する複数箇所（図１２では３箇所）を欠損し、解除エリアＲＥを複数箇所設け、その解除エリアＲＥをラチェット歯車６４の全周に対して所定比率で配置している。ここで、ラチェット爪３３の構成は実施例１と同じであり、また、解除エリアＲＥの１箇所あたりの比率も実施例１と同じである。
【００５９】
この構成を有する巻取式ランヤード２Ｅの端部の巻取器７を、ハーネス型安全帯１Ｅの背中部分に形成された交差部１１ａに固定する。これにより、ストラップ２２が任意長さ位置で停止するので、巻取式ランヤード２Ｅのフック２１を構造物等に掛止したとき、常にストラップ２２が引っ張られることがなくなり、作業性が向上する。また、交差部１１ａに固定した巻取器７のストラップ２２を軽く手で引くことにより、ボビン７２が回動してラチェット爪３３が係合エリアＥＥから解除エリアＲＥに至り、そのロックを解除してうず巻バネ３１２の付勢によりストラップ２２を巻き取ることができる。これにより、ロック解除操作を目視等で確認することなく、ストラップ２２を引く操作のみで、より容易に行える。このように、実施例１と比し、解除エリアＲＥへの位置合わせが容易に行えるが、ストラップ２２を任意長さ位置で停止させる動作は、ラチェット歯車７４の歯を欠損した分、しづらくなってしまう。
【符号の説明】
【００６０】
１、１Ｂ、１Ｃ、１Ｄ、１Ｅ  ハーネス型安全帯
１１    肩掛けベルト部      １１ａ  交差部
１１１  肩掛けベルト        １１２  連結環
１１３  Ｄ環                １１４  胸ベルト部
１２    腿ベルト部
１２１  腿ベルト            １２２  バックル
２、２Ｂ、２Ｃ、２Ｄ、２Ｅ  巻取式ランヤード
２１    フック              ２２  ストラップ
３    巻取器
３１    フレーム
３１１  軸                  ３１２  うず巻バネ          ３１３  ケース
３２    ボビン
３２１  側板                ３２２  胴
３３    ラチェット爪（ロック爪）
３３１  ラチェット爪軸      ３３２  中立バネ
３４    ラチェット歯車（ロック爪受）
３４１  欠損部
３５    遠心ロック手段
３５１  遠心爪              ３５２  遠心爪受            ３５３  引きバネ
４    巻取器
４１    フレーム
４１１  軸                  ４１２  うず巻バネ          ４１３  ケース
４２    ボビン
４２１  側板                ４２２  胴
４３    ラチェット爪
４３１  ラチェット爪軸      ４３２  中立バネ
４４    ラチェット歯車
４４１  欠損部
４５    遠心ロック手段
４５１  遠心爪              ４５２  遠心爪受            ４５３  引きバネ
４６    遠心ロック手段収納部
５    巻取器
５１    フレーム            ５１１  軸
５２    ボビン
５３    ラチェット爪        ５３１  ラチェット爪軸      ５３２  中立バネ
５４    ラチェット歯車      ５４１  欠損部
５５    遠心ロック手段
５５１  遠心爪              ５５２  遠心爪受            ５５３  引きバネ
５６    定位置ロック手段収納部
６    巻取器
６１１  軸
６２    ボビン
６４    ラチェット歯車      ６４１  欠損部
７    巻取器
７１１  軸
７２    ボビン
７４    ラチェット歯車      ７４１  欠損部
Ｌ、ＬＢ、ＬＣ、ＬＤ、ＬＥ    定位置ロック手段
ＲＡ、ＲＢ、ＲＣ、ＲＤ、ＲＥ  解除エリア
ＥＡ、ＥＢ、ＥＣ、ＥＤ、ＥＥ  係合エリア
【図１】
2014061237.tif 000003
【図２】
2014061237.tif 000004
【図３】
2014061237.tif 000005
【図４】
2014061237.tif 000006
【図５】
2014061237.tif 000007
【図６】
2014061237.tif 000008
【図７】
2014061237.tif 000009
【図８】
2014061237.tif 000010
【図９】
2014061237.tif 000011
【図１０】
2014061237.tif 000012
【図１１】
2014061237.tif 000013
【図１２】
2014061237.tif 000014